(57)【要約】    【課題】  サムネイル画像情報を指定するだけの簡単な操作でデジタル画像情報を共有でき且つ活用することができる画像処理システムを提供する。    【解決手段】  本画像情報とサムネイル画像情報とを画像格納装置１０２に格納する画像格納手段１０５と、画像格納装置に格納された画像情報のうち本画像情報のみを画像撮影装置から削除する画像削除手段１０４と、画像削除手段の実行により画像撮影装置に現存されたサムネイル画像情報のうちの任意のサムネイル画像情報を指定して画像処理装置１０３に通知する画像通知手段１０７と、通知されたサムネイル画像情報に基づき画像格納装置に格納されたサムネイル画像情報に対応する本画像情報を取得する画像取得手段１０６とを備えた。【選択図】      図１
2006197089.tif 000002
【特許請求の範囲】
【請求項１】
画像撮影装置と画像格納装置と画像処理装置とから成る画像処理システムにおいて、
前記画像撮影装置に記憶された本画像情報とサムネイル画像情報とを前記画像格納装置に格納する画像情報格納手段と、
前記画像格納手段により前記画像格納装置に格納された画像情報のうち本画像情報のみを前記画像撮影装置から削除する画像情報削除手段と、
前記画像情報削除手段の実行により前記画像撮影装置に現存されたサムネイル画像情報のうちの任意のサムネイル画像情報を指定して該指定したサムネイル画像情報を前記画像処理装置に通知するサムネイル画像情報通知手段と、
前記サムネイル画像情報通知手段により通知されたサムネイル画像情報に基づき前記画像格納装置に格納されたサムネイル画像情報に対応する本画像情報を取得する本画像情報取得手段と
を備えたことを特徴とする画像処理システム。
【請求項２】
本画像情報とサムネイル画像情報の格納先をリンク情報として前記画像撮影装置上のサムネイル画像情報に連動して前記画像撮影装置に記憶する画像格納先リンク情報記憶手段と、
前記画像格納先リンク情報記憶手段により記憶された画像格納先リンク情報のうち指定されたサムネイル画像情報に連動した画像格納先リンク情報を通知する画像格納先リンク情報通知手段と、
前記画像格納先リンク情報通知手段により通知された画像格納先リンク情報を元に前記画像格納装置から本画像情報を取得する画像格納先リンク識別取得手段と
を備えたことを特徴とする請求項１に記載の画像処理システム。
【請求項３】
指定されたサムネイル画像情報に連動した画像格納先リンク情報が存在しない場合にサムネイル画像情報を通知するサムネイル画像情報通知手段と、
前記サムネイル画像情報通知手段によりサムネイル画像情報が通知された場合には該通知されたサムネイル画像情報と前記画像格納装置に格納されたサムネイル画像情報とを比較して本画像情報を取得するサムネイル画像比較取得手段と
を備えたことを特徴とする請求項１に記載の画像処理システム。
【請求項４】
前記画像格納装置にサムネイル画像情報が格納されていない場合には本画像情報を元に通知されたサムネイル画像情報と一致する画像情報を検出して本画像情報を取得するサムネイル画像検出取得手段
を備えたことを特徴とする請求項１に記載の画像処理システム。
【請求項５】
画像撮影装置と画像格納装置と画像処理装置とから成る画像処理システムを制御する制御方法において、
前記画像撮影装置に記憶された本画像情報とサムネイル画像情報とを前記画像格納装置に格納する画像情報格納ステップと、
前記画像情報格納ステップにより前記画像格納装置に格納された画像情報のうち本画像情報のみを前記画像撮影装置から削除する画像情報削除ステップと、
前記画像情報削除ステップの実行により前記画像撮影装置に現存されたサムネイル画像情報のうちの任意のサムネイル画像情報を指定して該指定したサムネイル画像情報を前記画像処理装置に通知するサムネイル画像情報通知ステップと、
前記サムネイル画像情報通知ステップにより通知されたサムネイル画像情報に基づき前記画像格納装置に格納されたサムネイル画像情報に対応する本画像情報を取得する本画像情報取得ステップと
を備えたことを特徴とする制御方法。
【請求項６】
本画像情報とサムネイル画像情報の格納先をリンク情報として前記画像撮影装置上のサムネイル画像情報に連動して前記画像撮影装置に記憶する画像格納先情報記憶ステップと、
前記画像格納先情報記憶ステップにより記憶されたリンク情報のうち指定されたサムネイル画像情報に連動した画像格納先リンク情報を通知する画像格納先情報通知ステップと、
前記画像格納先情報通知ステップにより通知された画像格納先リンク情報を元に前記画像格納装置から本画像情報を取得する画像格納先リンク識別取得ステップと
を備えたことを特徴とする請求項５に記載の制御方法。
【請求項７】
指定されたサムネイル画像情報に連動した画像格納先リンク情報が存在しない場合にサムネイル画像情報を通知するサムネイル画像情報通知ステップと、
前記サムネイル画像情報通知ステップによりサムネイル画像情報が通知された場合には該通知されたサムネイル画像情報と前記画像格納装置に格納されたサムネイル画像情報とを比較して本画像を取得するサムネイル画像比較取得ステップと
を備えたことを特徴とする請求項５に記載の制御方法。
【請求項８】
前記画像格納装置にサムネイル画像情報が格納されていない場合には本画像情報を元に通知されたサムネイル画像情報と一致する画像情報を検出して本画像情報を取得するサムネイル画像検出取得ステップ
を備えたことを特徴とする請求項５に記載の制御方法。
【請求項９】
請求項５〜８のいずれかに記載の制御方法を実現するためのコンピュータ読み取り可能なプログラムコードを有することを特徴とする制御プログラム。
【請求項１０】
請求項５〜８のいずれかに記載の制御方法を実現するためのコンピュータ読み取り可能なプログラムコードを保持したことを特徴とする記憶媒体。
【発明の詳細な説明】
【技術分野】
【０００１】
本発明は、カメラ付き携帯電話やデジタルカメラ等の画像撮影装置とホームサーバ等のネットワークサーバに代表される画像格納装置とプリンタ等の画像処理装置とから成る画像処理システム及びその制御方法及び制御プログラム及びその制御プログラムを格納した記憶媒体に関する。
【背景技術】
【０００２】
従来、この種の画像処理システムにおいては、デジタルカメラ等の画像撮影装置に負荷をかけずに大量のデジタル画像を保存し、印刷処理等の画像処理に２次利用するための工夫が数多くなされてきた。
【０００３】
この種の代表的な技術例としては、
１）パーソナルコンピュータ（ＰＣ）により大量のデジタル画像の保存・管理を行い、ＰＣに接続されたプリンタにより、デジタル画像の印刷を行う。
２）ネットワーク上のサーバにデジタル画像を保存し、ネットワークを介して印刷及び参照を行う。
【０００４】
等の技術例があり、画像格納装置に処理の負荷を集中させ、画像撮影装置や画像処理装置の負荷を軽減させるための工夫がなされてきた。
【０００５】
先行技術においては、画像格納装置側で格納されている本画像情報からサムネイル画像情報を生成し、これをデジタルカメラ側へ送信し、このデジタルカメラにおいてサムネイル画像情報を選択させ、格納されている本画像情報を特定させるようにした技術例が提示されている（例えば、特許文献１参照）。
【０００６】
こうした従来技術の背景には、ＰＣ（パーソナルコンピュータ）等を利用した画像格納装置に比べ、デジタルカメラやプリンタといった周辺の画像処理装置の処理能力に限界があり、計算量の多い処理を周辺の画像処理装置では処理しきれないといった状況があった。
【０００７】
しかしながら、昨今の技術革新により、デジタルカメラ等の画像入力装置やプリンタ等の画像出力装置といった周辺の画像処理装置においても、画像処理用のＬＳＩ（大規模集積回路）が搭載されるようになり、デジタルカメラにおいては、撮影画像の圧縮処理やサムネイル画像情報の生成処理、プリンタにおいては、圧縮画像によるダイレクト印刷処理がなされるようになってきた。
【０００８】
更には、画像格納装置においても、電話回線を介して外部業者の提供するサーバを利用するといった形態から、ホームサーバを核として、家庭内のネットワーク環境に周辺機器が接続され、家庭内ネットワークを介して画像情報が流通するといった利用形態へと、デジタル画像情報の活用環境も変わりつつある。
【０００９】
従来、外部ネットワーク側からセッションを開始することを可能とする方法には、静的ＮＡＴ(Network Address Translation)、または、静的マスカレードと呼ばれる方法がある。
【００１０】
これは、予め外部からアクセスするために必要なポート番号、内部ポート番号、内部ＩＰ（識別子）アドレスの組等の情報をルータに登録しておく方法である。
【００１１】
しかし、この方法は、予め手動で情報を設定しておく手間が必要となる。また、内部ネットワークに接続される機器が固定の場合は良いが、新たに内部ネットワークに機器が追加接続された場合には対応できない。
【００１２】
また、外部ネットワークであるＷＡＮ（wide area network）側端末から内部ネットワークであるＬＡＮ(local area network)側のサービス提供端末へのアクセスを可能とする方法として、ルータに内部（内部ネットワーク）接続機器のサービスを登録し、外部（外部ネットワーク）に公開する方法が知られている（例えば、特許文献２参照）。
【特許文献１】特開２０００−３５０１７４号公報
【特許文献２】特開２００２−１４１９５３号公報
【発明の開示】
【発明が解決しようとする課題】
【００１３】
しかしながら、上述したような従来の画像処理システムにおいては、簡単な操作でデジタル画像情報を共有でき且つ活用することができないという問題点があった。
【００１４】
本発明は、上述したような従来技術の有する問題点を解消するためになされたもので、その目的は、サムネイル画像情報を指定するだけの簡単な操作でデジタル画像情報を共有でき且つ活用することができる画像処理システム及びその制御方法及び制御プログラム及び記憶媒体を提供することにある。
【課題を解決するための手段】
【００１５】
上記目的を達成するため、本発明の画像処理システムは、画像撮影装置と画像格納装置と画像処理装置とから成る画像処理システムにおいて、前記画像撮影装置に記憶された本画像情報とサムネイル画像情報とを前記画像格納装置に格納する画像格納手段と、前記画像格納手段により前記画像格納装置に格納された画像情報のうち本画像情報のみを前記画像撮影装置から削除する画像情報削除手段と、前記画像情報削除手段の実行により前記画像撮影装置に現存されたサムネイル画像情報のうちの任意のサムネイル画像情報を指定して該指定したサムネイル画像情報を前記画像処理装置に通知するサムネイル画像情報通知手段と、前記サムネイル画像情報通知手段により通知されたサムネイル画像情報に基づき前記画像格納装置に格納されたサムネイル画像情報に対応する本画像情報を取得する本画像情報取得手段とを備えたことを特徴とする。
【００１６】
また、上記目的を達成するため、本発明の画像処理システムの制御方法は、画像撮影装置と画像格納装置と画像処理装置とから成る画像処理システムを制御する制御方法において、前記画像撮影装置に記憶された本画像情報とサムネイル画像情報とを前記画像格納装置に格納する画像情報格納ステップと、前記画像情報格納ステップにより前記画像格納装置に格納された画像情報のうち本画像情報のみを前記画像撮影装置から削除する画像情報削除ステップと、前記画像情報削除ステップの実行により前記画像撮影装置に現存されたサムネイル画像情報のうちの任意のサムネイル画像情報を指定して該指定したサムネイル画像情報を前記画像処理装置に通知するサムネイル画像情報通知ステップと、前記サムネイル画像情報通知ステップにより通知されたサムネイル画像情報に基づき前記画像格納装置に格納されたサムネイル画像情報に対応する本画像情報を取得する本画像情報取得ステップとを備えたことを特徴とする。
【発明の効果】
【００１７】
本発明によれば、サムネイル画像情報を指定するだけの簡単な操作で、デジタル画像情報を共有でき且つ活用することができる。
【発明を実施するための最良の形態】
【００１８】
以下、本発明の実施の形態について、図面を参照しながら説明する。
【００１９】
（第１の実施の形態）
まず、本発明の第１の実施の形態を、図１〜図１１に基づき説明する。
【００２０】
図１は、本実施の形態に係る画像処理システムの構成を示すブロック図であり、この画像処理システムは、画像撮影装置１０１、画像格納装置１０２及び画像処理装置１０３を備えている。
【００２１】
画像撮影装置１０１と画像格納装置１０２は、画像削除手段１０４と画像格納手段１０５とを介して互いに電気的に接続されている。また、画像格納装置１０２は、画像取得手段１０６を介して画像処理装置１０３に電気的に接続されている。更に、画像撮影装置１０１と画像処理装置１０３は、画像通知手段１０７を介して互いに電気的に接続されている。
【００２２】
次に、上記構成に成る本実施の形態に係る画像処理システムの動作を、図２に基づき説明する。
【００２３】
図２において、まず、ステップＳ２０１で画像撮影装置１０１から画像格納装置１０２へ、画像撮影装置１０１内に記憶されている本画像情報とサムネイル画像情報とを格納する。画像格納装置１０２への本画像情報とサムネイル画像情報の格納処理が完了すると、ステップＳ２０２で画像格納装置１０２から画像撮影装置１０１へ格納完了情報を発行し、画像撮影装置１０１は、この格納完了情報を受けて、画像撮影装置１０１内に記憶されている格納対象となった本画像情報を削除する。
【００２４】
画像撮影装置１０１においては、サムネイル画像情報により画像の選択ができ、この選択された画像に対して、ステップＳ２０３で接続された画像処理装置１０３に対して、選択された画像を用いた機能実行指示を通知する。画像撮影装置１０１から画像処理装置１０３への機能実行指示は、選択されたサムネイル画像情報と実行機能指示内容とにより行われる。
【００２５】
画像処理装置１０１は、この機能実行指示を受けて、ステップＳ２０４でサムネイル画像情報と一致する本画像情報を、画像格納装置１０２から取得し、ステップＳ２０５で実行機能指示内容に基づき、取得した本画像情報の画像処理を行う。
【００２６】
本実施の形態に係る画像処理システムによれば、画像撮影装置上に本画像情報が無くても、画像処理装置に対して、サムネイル画像情報により確認しながら、処理対象となる画像の指示が行えるようになり、画像撮影装置上の負荷を軽減できる。更には、画像格納装置上に画像情報を一括して保管できるようになり、大量の画像情報に対する管理の負荷をも軽減できる。
【００２７】
本実施の形態における第１の具体例として、図３に示すように、例えば、画像撮影装置１０１にデジタルカメラやカメラ付き携帯電話、画像格納装置１０２にパーソナルコンピュータ、画像処理装置１０３にプリンタが、有線若しくは無線を介して相互に接続される例を挙げることができる。
【００２８】
図３に示した例によれば、画像撮影装置１０１であるデジタルカメラ若しくはカメラ付き携帯電話から、画像格納装置１０２であるパーソナルコンピュータへ、デジタルカメラ若しくはカメラ付き携帯電話に記憶された本画像情報とサムネイル画像情報が格納され、その格納が完了した時点で本画像情報を削除することができる。これにより、デジタルカメラ若しくはカメラ付き携帯電話内の記憶容量を削減することができる。また、本画像情報が削除されてもサムネイル画像情報が残るので、このサムネイル画像情報を選択して、画像の印刷指示を画像処理装置１０３であるプリンタへ通知るだけで、プリンタ１０３がサムネイル画像を元にパーソナルコンピュータ１０２から本画像情報を取得し、プリンタ１０３により印刷することができるようになる。
【００２９】
また、本実施の形態における第２の具体例として、図４に示すように、例えば、画像撮影装置１０１にデジタルカメラやカメラ付き携帯電話、画像格納装置１０２にホームサーバ、画像処理装置１０３にネットワークプリンタが、家庭内ＬＡＮにおけるネットワークを介して相互に接続された例を挙げることもできる。
【００３０】
図４に示した例によれば、ホームサーバ１０２とプリンタ１０３がネットワークを介して本画像情報を取得できるようになり、両装置１０２，１０３が離れた位置にあっても、ネットワークにより接続されていれば、サムネイル画像情報を指定して、印刷指示を行うだけで、ネットワークを介した本画像情報の取得が行われ、プリンタ１０３により印刷できるようになる。
【００３１】
更に、本実施の形態における第３の具体例として、図５に示すように、例えば、画像撮影装置１０１にカメラ付き携帯電話のように通信機能を有する画像撮影装置、画像格納装置１０２に外部業者による画像格納サーバ、画像処理装置１０３にプリンタが、インターネットを介しして接続された広域ＬＡＮに対応する例も挙げることもできるようになる。
【００３２】
図５に示した例によれば、カメラ付き携帯電話１０１もネットワークに接続されることにより、画像情報の格納処理及び印刷指示もネットワークを介して行えるようになり、全ての装置１０１〜１０３が離れた位置にあってもネットワークにより接続されていれば、画像情報の格納及びサムネイル画像情報を指定した印刷指示も行えるようになる。
【００３３】
上述した本実施の形態を実現させるため、本実施の形態に係る画像処理システムに接続される各装置は、図６に示すように、ＣＰＵ（中央演算処理装置）６０１、ＲＯＭ(Read Only Memory)６０２、ＲＡＭ(Random Access Memory)６０３、ＵＩ（User Interface）ユニット６０４、機能実行ユニット６０５及び外部通信ユニット６０６とから構成される。
【００３４】
上記構成において、ＣＰＵ６０１では、ＲＯＭ６０２に記述された各種プログラムが実行され、必要に応じてＲＡＭ６０３にデータを書込み、参照する処理が行われる。ＲＯＭ６０２には、上記の各装置を制御するためのプログラム、データ処理を行うためのプログラムやデータが記述されている。各装置で機能を実行させるために必要な実行プログラムも、このＲＯＭ６０２に記述されている。
【００３５】
ＲＡＭ６０３は、ＲＯＭ６０２に記述されたプログラムの実行に伴い、必要なデータが書込まれたり、参照されたりする。ＵＩユニット６０４では、各装置の操作に必要な処理が実行される。機能実行ユニット６０５では、各装置で必要な機能を実行するための処理が行われる。外部通信ユニット６０６では、各装置間でデータのやり取りを行うのに必要な処理が行われる。
【００３６】
次に、本実施の形態に係る画象処理システムの処理動作を説明する。
【００３７】
まず、画像撮影装置１０１の動作を、図７のフローチャートに基づき説明する。
【００３８】
図７において、電源オン（ＯＮ）により、ステップＳ７００で画像撮影装置１０１の初期化処理が行われる。次に、ステップＳ７０１で画像撮影装置１０１における機能の実行指示が行われる。ここで電源オフ（ＯＦＦ）が指示された場合には、ステップＳ７０２で電源がＯＦＦされる。
【００３９】
一方、前記ステップＳ７０１において、画像格納実行指示がなされた場合には、ステップＳ７０３へ進んで、格納画像送信処理、即ち画像格納装置１０２に本画像情報とサムネイル画像情報を格納する処理が行われる。
【００４０】
また、前記ステップＳ７０１において、画像通知実行指示がなされた場合には、ステップＳ７０４へ進んで、画像処理情報通知処理、即ち画像処理対象となる画像の画像取得情報と機能実行指示情報を画像処理装置へ通知する処理が行われる。
【００４１】
更に、前記ステップＳ７０１において、その他の必要な機能実行指示がなされた場合には、ステップＳ７０５へ進んで、その他の機能実行処理、即ち指示された機能を実行するための必要な処理が行われる。
【００４２】
このステップＳ７０５における必要な処理としては、例えば、画像撮影機能実行指示がなされれば、画像撮影装置１０１により画像を撮影して記憶する処理が行われ、また、画像の選択機能実行指示がなされれば、サムネイル画像情報を表示し、任意のサムネイル画像情報を選択する処理が行われる。
【００４３】
前記ステップＳ７０３，７０４，７０５の処理が実行された後は、いずれも前記ステップＳ７０１へ戻る。
【００４４】
次に、画像格納装置１０２の動作を図８のフローチャートに基づき説明する。
【００４５】
図８において、電源オン（ＯＮ）により、ステップＳ８００で画像格納装置１０２の初期化処理が行われる。次に、ステップＳ８０１で、画像撮影装置１０１における機能の実行指示が行われる。ここで電源オフ（ＯＦＦ）が指示された場合には、ステップＳ８０２で電源がＯＦＦされる。
【００４６】
一方、前記ステップＳ８０１において、画像保管実行指示がなされた場合には、ステップＳ８０３へ進んで、受信画像保管処理、即ち画像撮影装置から受信した本画像とサムネイル画像を格納するための処理が行われる。
【００４７】
また、画像処理装置１０３からの画像取得要求通知を受けて、前記ステップＳ８０１において、画像取得実行指示がなされた場合には、ステップＳ８０４へ進んで、格納画像送信処理、即ち取得要求に応じて格納されている本画像情報を検索し、取得画像情報として画像処理装置１０３へ送信する処理が行われる。
【００４８】
更に、前記ステップＳ８０１において、その他の必要な機能実行指示がなされた場合には、ステップＳ８０５へ進んで、その他の機能実行処理、即ち指示された機能を実行するための必要な処理が行われる。
【００４９】
前記ステップＳ８０３，８０４，８０５の処理が実行された後は、いずれも前記ステップＳ８０１へ戻る。
【００５０】
次に、画像処理装置１０３の動作を図９のフローチャートに基づき説明する。
【００５１】
図９において、電源オン（ＯＮ）により、ステップＳ９００で画像処理装置１０３の初期化処理が行われる。次に、ステップＳ９０１で、画像処理装置１０３における機能の実行指示が行われる。ここで電源オフ（ＯＦＦ）が指示された場合には、ステップＳ９０２で電源がＯＦＦされる。
【００５２】
一方、前記ステップＳ９０１において、画像要求実行指示がなされた場合には、ステップＳ９０３へ進んで、取得画像要求送信処理、即ち画像格納装置１０２から送信される取得要求画像を受信する処理が行われる。
【００５３】
また、画像格納装置１０２からの取得要求画像送信通知を受けて、前記ステップＳ９０１において、画像取得実行指示がなされた場合には、ステップＳ９０４へ進んで、格納画像受信処理、即ち取得要求に応じて格納されている本画像情報を検索し、取得画像情報として画像処理装置１０３へ送信する処理が行われる。
【００５４】
更に、前記ステップＳ９０１において、その他の必要な機能実行指示がなされた場合には、ステップＳ８０５へ進んで、その他の機能実行処理、即ち指示された機能を実行するための必要な処理が行われる。
【００５５】
このステップＳ９０５における必要な処理としては、例えば、格納画像受信処理終了後、受信した取得画像に対して画像撮影装置１０１からの画像処理情報に基づき指定される機能の実行が行われる。
【００５６】
前記ステップＳ９０３，９０４，９０５の処理が実行された後は、いずれも前記ステップＳ９０１へ戻る。
【００５７】
以上示した処理の流れにより、本実施の形態で示した機能の実現が図れるようになる。
【００５８】
次に、本実施の形態に係る画象処理システムにおいて、画像格納装置１０２中の画像格納先リンク情報を介して本画像情報の取得を行う場合の動作について説明する。
【００５９】
まず、画像撮影装置１０１から画像格納装置１０２へ画像を格納する処理動作について、図１０のフローチャートに基づき説明する。
【００６０】
図１０（ａ）の画像撮影装置１０１の格納画像送信処理と図１０（ｂ）の画像格納装置１０２の受信画像保管処理において、本画像情報とサムネイル画像情報の格納処理を行い、格納処理が完了した時点で格納完了情報と格納先リンク情報を取得する処理が行われる。
【００６１】
まず、図１０（ａ）の画像撮影装置１０１の格納画像送信処理において、ステップＳ１００１の格納画像送信処理により、本画像情報とサムネイル画像情報を画像格納装置１０２へ送信する処理が行われ、その送信完了後、格納完了通知受信待ち状態となる。
【００６２】
図１０（ｂ）の画像格納装置１０２の受信画像保管処理においては、格納画像情報受信待ち状態で格納画像情報を受信すると、ステップＳ１００５の格納画像受信処理により、格納画像情報として、本画像情報とサムネイル画像情報を受信する処理を行う。
【００６３】
そして、本画像情報とサムネイル画像情報の受信処理が完了すると、ステップＳ１００６の画像格納処理により、画像格納装置１０２への画像の格納処理が行われ、その格納処理が完了した時点で、ステップＳ１００７の格納完了情報送信処理により、格納完了情報と格納先リンク情報を画像撮影装置１０１へ送信する処理が行われる。
【００６４】
なお、格納先リンク情報には、画像格納装置１０２上の画像格納エリアへのリンク情報が記述され、このリンク情報に基づき格納した画像情報を取得できるようになっている。
【００６５】
格納完了通知受信待ち状態となっている画像撮影装置１０１において、格納完了情報を受信すると、ステップＳ１００２の格納完了情報受信処理により、格納完了情報と格納先リンク情報を受信する処理が行われる。
【００６６】
そして、格納完了情報と格納先リンク情報の受信処理が完了すると、ステップＳ１００３の本画像削除処理により、画像格納装置１０２に格納した本画像情報を、画像撮影装置１０１上の記憶エリアから削除する処理が行われる。
【００６７】
そして、本画像情報の削除処理が終了すると、ステップＳ１００４の格納先リンク情報設定処理により、格納対象となった本画像情報のサムネイル画像情報に連動して、本画像情報が格納されている画像格納装置１０２上へのリンク情報が記述された格納先リンク情報を設定する処理が行われる。
【００６８】
次に、本実施の形態に係る画像処理システムにおける画像処理動作について、図１１のフローチャートに基づき説明する。
【００６９】
図１１（ａ）の画像撮影装置１０１の画像処理情報通知処理と図１１（ｂ）の画像処理装置１０３の各処理と図１１（ｃ）の画像格納装置１０２の格納画像送信処理とにより、画像撮影装置１０１上のサムネイル画像に連動した格納先リンク情報に基づき、画像格納装置１０２から本画像情報を取得し、画像処理装置１０３上において、取得した本画像情報に対する画像処理が行われる。
【００７０】
まず、図１１（ａ）の画像撮影装置１０１の画像処理情報通知処理において、ステップＳ１１０１の画像処理情報送信処理により、機能実行情報と格納先リンク情報を、画像処理装置１０３へ送信する処理が行われ、その送信処理が完了すると、機能実行完了通知待ち状態となる。
【００７１】
次に、図１１（ｂ）の画像処理装置１０３の各処理において、画像処理装置１０３が機能実行情報と格納先リンク情報を画像撮影装置１０１から受信すると、ステップＳ１１０３の取得画像要求送信処理により、画像取得要求情報として格納先リンク情報を画像格納装置１０２に送信する処理が行われ、取得画像受信待ち状態となる。
【００７２】
次に、図１１（ｃ）の画像格納装置１０２の格納画像送信処理においては、画像取得要求情報として格納先リンク情報を検知すると、ステップＳ１１０６の格納先リンク情報受信処理により格納先リンク情報の受信を行い、ステップＳ１１０７の格納画像検索処理により、格納先リンク情報に基づき本画像情報の検索を行い、本画像情報の取得を行う。そして、ステップＳ１１０８の格納画像送信処理により、前記ステップＳ１１０７において取得した本画像情報を取得画像情報として画像処理装置１０３へ送信する処理が行われる。
【００７３】
画像処理装置１０３においては、画像格納装置１０２から取得画像情報を取得すると、ステップＳ１１０４の格納画像受信処理により、本画像情報を取得画像情報として受信し、画像撮影装置１０１から送信された機能実行情報に基づき機能の実効指示を行い、ステップＳ１１０５の機能実行画像処理により、画像格納装置１０２から取得した本画像情報に対する画像処理を行い、画像撮影装置１０１へ機能実行完了通知を発行する。
【００７４】
画像撮影装置１０１においては、ステップＳ１１０２の画像処理完了受信処理により画像処理装置１０３から機能実行完了通知を受信し、画像処理情報通知処理を終了する。
【００７５】
以上示した処理の流れにより、画像撮影装置１０１上に本画像情報が無くても、格納先リンク情報を介して、画像格納装置１０２から本画像情報を取得し、画像処理装置１０３で本画像情報に対する画像処理が行える。
【００７６】
（第２の実施の形態）
次に、本発明の第２の実施の形態を図１２に基づき説明する。
【００７７】
なお、本実施の形態に係る画像処理システムの基本的な構成は、上述した第１の実施の形態における図1〜図９と同一であるから、その説明は省略する。
【００７８】
以下、本実施の形態に係る画像処理システムにおいて、画像格納装置１０２中のサムネイル画像を介して本画像情報を取得する場合の処理動作を、図１２のフローチャートの基づき説明する。
【００７９】
図１２（ａ）の画像撮影装置１０１の画像処理情報送信処理において、画像撮影装置１０１から、格納先リンク情報ではなくサムネイル画像情報を画像処理装置１０３へ送信し、図１２（ｂ）の画像処理装置１０３の各処理で、ステップＳ１２０３の取得画像要求送信処理において、画像処理装置１０３は、サムネイル画像情報を画像取得情報として画像格納装置１０２へ送信する。
【００８０】
図１２（ｃ）の画像格納装置１０２の格納画像送信処理においては、サムネイル画像情報を元に、ステップＳ１２０７の格納画像検索処理により、本画像情報の検索処理を行い、画像格納装置１０２に格納されているサムネイル画像情報と一致する本画像情報を取得画像情報として取得し、ステップＳ１２０８の格納画像送信処理により、取得画像情報を画像処理装置１０３へ送信する。
【００８１】
なお、図１２におけるその他の処理ステップは、図１１の処理ステップと同一であるから、その説明は省略する。
【００８２】
以上示した処理の流れにより、サムネイル画像に基づき、本画像情報を取得することができる。
【００８３】
（第３の実施の形態）
次に、本発明の第３の実施の形態を説明する。
【００８４】
なお、本実施の形態に係る画像処理システムの基本的な構成は、上述した第１の実施の形態における図１〜図９と同一であるから、その説明は省略する。
【００８５】
本実施の形態は、図１２（ｃ）の画像格納装置１０２の格納画像送信処理において、ステップＳ１２０７の格納画像検索処理で、画像格納装置１０２にサムネイル画像情報が格納されていない場合には、格納されている本画像情報を元に推測を行い、取得画像情報として受信したサムネイル画像情報の検索を行い、一致する本画像情報を取得画像として取得し、ステップＳ１２０８の格納画像送信処理で取得画像情報を画像処理装置１０３へ送信するようにしたものである。
【００８６】
以上示した処理の流れにより、画像格納装置１０２にサムネイル画像情報が格納されていなくても、サムネイル画像情報に基づき本画像情報を取得することができる。
【００８７】
なお、上記実施の形態における画像に関しては、動画における１シーンをサムネイル画像により割り当てることにより、静止画でも動画でも同様に取り扱うことが可能となる。
【００８８】
また、上述した実施の形態では、プリンタによる印刷処理に関する記述を行ったが、画像を出力するという点では、ディスプレィへの表示処理も同様の方式により可能である。
【００８９】
また、本発明は、上述した実施の形態に限られるものではなく、本発明の主題に基づき、どのようなものであっても適用可能である。
【００９０】
また、本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００９１】
この場合、記憶媒体から読み出されたプログラムコード自体が前述した実施の形態の機能を実現することになり、そのプログラムコードを記憶した記憶媒体は本発明を構成することになる。
【００９２】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードを、ネットワークを介してダウンロードしても良い。
【００９３】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００９４】
また、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００９５】
また、コンピュータが読み出したプログラムコードを実行することにより、前述した各実施の形態の機能が実現されるだけでなく、そのプログラムコードの指示に基づき、コンピュータ上で稼働しているＯＳなどが実際の処理の一部または全部を行い、その処理によって前述した各実施の形態の機能が実現される場合も、本発明に含まれることは言うまでもない。
【００９６】
この場合、上記プログラムは、該プログラムを記憶した記憶媒体から直接、またはインターネット、商用ネットワーク、若しくはローカルエリアネットワーク等に接続された不図示の他のコンピュータやデータベース等からダウンロードすることにより供給される。
【００９７】
また、上記実施の形態における複合装置の印刷方式は、電子写真方式、インクジェット方式、熱転写方式、感熱方式、静電方式、放電破壊方式等、各種印刷方式に適用することができる。
【００９８】
更に、上記プログラムの形態は、オブジェクトコード、インタプリタにより実行されるプログラムコード、ＯＳ（オペレーティングシステム）に供給されるスクリプトデータ等の形態から成っても良い。
【図面の簡単な説明】
【００９９】
【図１】本発明の第１の実施の形態に係る画像処理システムの構成を示すブロック図である。
【図２】本発明の第１の実施の形態に係る画像処理システムの画像処理動作の流れを示すフローチャートである。
【図３】本発明の第１の実施の形態に係る画像処理システムの構成要素の接続関係を示すブロック図である。
【図４】本発明の第１の実施の形態に係る画像処理システムの図３とは異なる構成要素の接続関係を示すブロック図である。
【図５】本発明の第１の実施の形態に係る画像処理システムの図３及び図４とは異なる構成要素の接続関係を示すブロック図である。
【図６】本発明の第１の実施の形態に係る画像処理システムの構成要素の構成を示すブロック図である。
【図７】本発明の第１の実施の形態に係る画像処理システムの構成要素である画像撮影装置の動作の流れを示すフローチャートである。
【図８】本発明の第１の実施の形態に係る画像処理システムの構成要素である画像格納装置の動作の流れを示すフローチャートである。
【図９】本発明の第１の実施の形態に係る画像処理システムの構成要素である画像処理装置の動作の流れを示すフローチャートである。
【図１０】本発明の第１の実施の形態に係る画像処理システムにおける画像格納処理動作の流れを示すフローチャートである。
【図１１】本発明の第１の実施の形態に係る画像処理システムにおける画像処理動作の流れを示すフローチャートである。
【図１２】本発明の第２の実施の形態に係る画像処理システムにおける画像処理動作の流れを示すフローチャートである。
【符号の説明】
【０１００】
１０１    画像撮影装置
１０２    画像格納装置
１０３    画像処理装置
１０４    画像削除手段
１０５    画像格納手段
１０６    画像取得手段
１０７    画像通知手段
【図１】
2006197089.tif 000003
【図２】
2006197089.tif 000004
【図３】
2006197089.tif 000005
【図４】
2006197089.tif 000006
【図５】
2006197089.tif 000007
【図６】
2006197089.tif 000008
【図７】
2006197089.tif 000009
【図８】
2006197089.tif 000010
【図９】
2006197089.tif 000011
【図１０】
2006197089.tif 000012
【図１１】
2006197089.tif 000013
【図１２】
2006197089.tif 000014